【手続補正書】
【提出日】平成16年1月26日(2004.1.26)
【手続補正１】
【補正対象書類名】明細書
【補正対象項目名】特許請求の範囲
【補正方法】変更
【補正の内容】
【特許請求の範囲】
【請求項１】
１以上の外部電子機器が接続される電子機器制御装置において、
前記外部電子機器と通信する通信手段と、
前記外部電子機器に対して、前記外部電子機器を制御する上において必要なユーザインタフェース情報の伝送を要求する要求手段と、
前記外部電子機器から伝送されてきた前記ユーザインタフェース情報を記憶する記憶手段と
を備えることを特徴とする電子機器制御装置。
【請求項２】
前記記憶手段に記憶された前記ユーザインタフェース情報を表示させるために出力する出力手段をさらに備える
ことを特徴とする請求項１に記載の電子機器制御装置。
【請求項３】
前記ユーザインタフェース情報は、画像データ、レイアウト情報、テキスト、スクリプトのうちの少なくとも１つを含む
ことを特徴とする請求項１に記載の電子機器制御装置。
【請求項４】
前記ユーザインタフェース情報は、HTMLおよびJavaScriptを用いて記述されている
ことを特徴とする請求項１に記載の電子機器制御装置。
【請求項５】
前記外部電子機器は、ＡＶ機器であり、
前記外部電子機器と、ホームバスを介して接続される
ことを特徴とする請求項１に記載の電子機器制御装置。
【請求項６】
前記要求手段は、前記ユーザインタフェース情報を、初期化時に要求する
ことを特徴とする請求項１に記載の電子機器制御装置。
【請求項７】
前記要求手段は、前記ユーザインタフェース情報を、前記外部電子機器が選択されたとき要求する
ことを特徴とする請求項１に記載の電子機器制御装置。
【請求項８】
前記ユーザインタフェース情報が選択されたとき、その選択情報を前記外部電子機器に供給する供給手段をさらに備える
ことを特徴とする請求項１に記載の電子機器制御装置。
【請求項９】
１以上の外部電子機器が接続される電子機器制御装置の電子機器制御方法において、
前記外部電子機器と通信する通信ステップと、
前記外部電子機器に対して、前記外部電子機器を制御する上において必要なユーザインタフェース情報の伝送を要求する要求ステップと、
前記外部電子機器から伝送されてきた前記ユーザインタフェース情報を記憶する記憶ステップと
を備えることを特徴とする電子機器制御方法。
【請求項１０】
電子機器制御装置に接続される電子機器において、
前記電子機器制御装置と通信する通信手段と、
自分自身を制御する上において必要なユーザインタフェース情報を記憶する記憶手段と、
前記電子機器制御装置から、前記ユーザインタフェース情報の伝送の要求を受けたとき、前記ユーザインタフェース情報を前記電子機器制御装置に伝送する伝送手段と
を備えることを特徴とする電子機器。
【請求項１１】
前記ユーザインタフェース情報のいずれかが選択された場合に、前記電子機器制御装置が出力する選択情報を受信したとき、前記選択情報に対応する処理を行う処理手段をさらに備える
ことを特徴とする請求項１０に記載の電子機器。
【請求項１２】
電子機器制御装置に接続される電子機器の電子機器制御方法において、
前記電子機器制御装置と通信する通信ステップと、
自分自身を制御する上において必要なユーザインタフェース情報を記憶する記憶ステップと、
前記電子機器制御装置から、前記ユーザインタフェース情報の伝送の要求を受けたとき、前記ユーザインタフェース情報を前記電子機器制御装置に伝送する伝送ステップと
を備えることを特徴とする電子機器制御方法。
【請求項１３】
相互に接続される第１の電子機器と、前記第１の電子機器を制御する第２の電子機器とにより構成される電子機器制御装置において、
前記第１の電子機器は、
前記第２の電子機器と通信する第１の通信手段と、
自分自身を制御する上において必要なユーザインタフェース情報を記憶する第１の記憶手段と、
前記第２の電子機器から、前記ユーザインタフェース情報の伝送の要求を受けたとき、前記ユーザインタフェース情報を前記第１の記憶手段から読み出し、前記第２の電子機器に伝送する第１の伝送手段と、
を備え、
前記第２の電子機器は、
前記第１の電子機器と通信する第２の通信手段と、
前記第１の電子機器に対して、前記第１の電子機器を制御する上において必要なユーザインタフェース情報の伝送を要求する要求手段と、
前記第１の電子機器から伝送されてきた前記ユーザインタフェース情報を記憶する第２の記憶手段と、
を備える
ことを特徴とする電子機器制御装置。
【請求項１４】
相互に接続される第１の電子機器と、前記第１の電子機器を制御する第２の電子機器とにより構成される電子機器制御装置の電子機器制御方法において、
前記第１の電子機器は、
前記第２の電子機器と通信する第１の通信ステップと、
自分自身を制御する上において必要なユーザインタフェース情報を記憶する第１の記憶ステップと、
前記第２の電子機器から、前記ユーザインタフェース情報の伝送の要求を受けたとき、記憶されている前記ユーザインタフェース情報を読み出し、前記第２の電子機器に伝送する第１の伝送ステップと、
を備え、
前記第２の電子機器は、
前記第１の電子機器と通信する第２の通信ステップと、
前記第１の電子機器に対して、前記第１の電子機器を制御する上において必要なユーザインタフェース情報の伝送を要求する要求ステップと、
前記第１の電子機器から伝送されてきた前記ユーザインタフェース情報を記憶する第２の記憶ステップと、
を備える
ことを特徴とする電子機器制御方法。
【手続補正２】
【補正対象書類名】明細書
【補正対象項目名】０００１
【補正方法】変更
【補正の内容】
【０００１】
【発明の属する技術分野】
本発明は、電子機器制御装置および方法、並びに電子機器に関し、特に複数の電子機器を接続した場合において、電子機器を制御するためのソフトウエアのインストールの操作を不要とし、操作性を改善するようにした電子機器制御装置および方法、並びに電子機器に関する。


【手続補正３】
【補正対象書類名】明細書
【補正対象項目名】００１１
【補正方法】変更
【補正の内容】
【００１１】
【課題を解決するための手段】
請求項１に記載の電子機器制御装置は、外部電子機器と通信する通信手段と、外部電子機器に対して、外部電子機器を制御する上において必要なユーザインタフェース情報の伝送を要求する要求手段と、外部電子機器から伝送されてきたユーザインタフェース情報を記憶する記憶手段とを備えることを特徴とする。


【手続補正４】
【補正対象書類名】明細書
【補正対象項目名】００１２
【補正方法】変更
【補正の内容】
【００１２】
請求項９に記載の電子機器制御方法は、外部電子機器と通信する通信ステップと、外部電子機器に対して、外部電子機器を制御する上において必要なユーザインタフェース情報の伝送を要求する要求ステップと、外部電子機器から伝送されてきたユーザインタフェース情報を記憶する記憶ステップとを備えることを特徴とする。


【手続補正５】
【補正対象書類名】明細書
【補正対象項目名】００１３
【補正方法】変更
【補正の内容】
【００１３】
請求項１０に記載の電子機器は、電子機器制御装置と通信する通信手段と、自分自身を制御する上において必要なユーザインタフェース情報を記憶する記憶手段と、電子機器制御装置から、ユーザインタフェース情報の伝送の要求を受けたとき、ユーザインタフェース情報を電子機器制御装置に伝送する伝送手段とを備えることを特徴とする。


【手続補正６】
【補正対象書類名】明細書
【補正対象項目名】００１４
【補正方法】変更
【補正の内容】
【００１４】
請求項１２に記載の電子機器制御方法は、電子機器制御装置と通信する通信ステップと、自分自身を制御する上において必要なユーザインタフェース情報を記憶する記憶ステップと、電子機器制御装置から、ユーザインタフェース情報の伝送の要求を受けたとき、ユーザインタフェース情報を電子機器制御装置に伝送する伝送ステップとを備えることを特徴とする。


【手続補正７】
【補正対象書類名】明細書
【補正対象項目名】００１５
【補正方法】変更
【補正の内容】
【００１５】
請求項１３に記載の電子機器制御装置は、第１の電子機器は、第２の電子機器と通信する第１の通信手段と、自分自身を制御する上において必要なユーザインタフェース情報を記憶する第１の記憶手段と、第２の電子機器から、ユーザインタフェース情報の伝送の要求を受けたとき、ユーザインタフェース情報を第１の記憶手段から読み出し、第２の電子機器に伝送する第１の伝送手段と、を備え、第２の電子機器は、第１の電子機器と通信する第２の通信手段と、第１の電子機器に対して、第１の電子機器を制御する上において必要なユーザインタフェース情報の伝送を要求する要求手段と、第１の電子機器から伝送されてきたユーザインタフェース情報を記憶する第２の記憶手段と、を備えることを特徴とする。


【手続補正８】
【補正対象書類名】明細書
【補正対象項目名】００１６
【補正方法】変更
【補正の内容】
【００１６】
請求項１４に記載の電子機器制御方法は、第１の電子機器は、第２の電子機器と通信する第１の通信ステップと、自分自身を制御する上において必要なユーザインタフェース情報を記憶する第１の記憶ステップと、第２の電子機器から、ユーザインタフェース情報の伝送の要求を受けたとき、記憶されているユーザインタフェース情報を読み出し、第２の電子機器に伝送する第１の伝送ステップと、を備え、第２の電子機器は、第１の電子機器と通信する第２の通信ステップと、第１の電子機器に対して、第１の電子機器を制御する上において必要なユーザインタフェース情報の伝送を要求する要求ステップと、第１の電子機器から伝送されてきたユーザインタフェース情報を記憶する第２の記憶ステップと、を備えることを特徴とする。


【手続補正９】
【補正対象書類名】明細書
【補正対象項目名】００１７
【補正方法】変更
【補正の内容】
【００１７】
請求項１に記載の電子機器制御装置および請求項９に記載の電子機器制御方法においては、外部電子機器と通信が行われ、外部電子機器を制御する上において必要なユーザインタフェース情報の伝送が要求される。外部電子機器が、この要求に対応してユーザインタフェース情報を伝送してくると、これが記憶される。


【手続補正１０】
【補正対象書類名】明細書
【補正対象項目名】００１８
【補正方法】変更
【補正の内容】
【００１８】
請求項１０に記載の電子機器および請求項１２に記載の電子機器制御方法おいては、電子機器制御装置から要求があると、ユーザインタフェース情報が伝送される。


【手続補正１１】
【補正対象書類名】明細書
【補正対象項目名】００１９
【補正方法】変更
【補正の内容】
【００１９】
請求項１３に記載の電子機器制御装置および請求項１４に記載の電子機器制御方法においては、第２の電子機器が、第１の電子機器に伝送を要求すると、第１の電子機器は、これに対応して、そのユーザインタフェース情報を第２の電子機器に伝送する。第２の電子機器は、このユーザインタフェース情報を記憶する。


【手続補正１２】
【補正対象書類名】明細書
【補正対象項目名】００２１
【補正方法】変更
【補正の内容】
【００２１】
請求項１に記載の電子機器制御装置は、外部電子機器と通信する通信手段（例えば、図４の1394インタフェース５７）と、外部電子機器に対して、外部電子機器を制御する上において必要なユーザインタフェース情報の伝送を要求する要求手段（例えば、図１２のステップＳ２３）と、外部電子機器から伝送されてきたユーザインタフェース情報を記憶する記憶手段（例えば、図４のRAM５３）とを備えることを特徴とする。


【手続補正１３】
【補正対象書類名】明細書
【補正対象項目名】００２４
【補正方法】変更
【補正の内容】
【００２４】
請求項１０に記載の電子機器は、電子機器制御装置と通信する通信手段（例えば、図６の1394インタフェース９７）と、自分自身を制御する上において必要なユーザインタフェース情報を記憶する記憶手段（例えば、図６のROM９２）と、電子機器制御装置から、ユーザインタフェース情報の伝送の要求を受けたとき、ユーザインタフェース情報を電子機器制御装置に伝送する伝送手段（例えば、図１４のステップＳ３１）とを備えることを特徴とする。


【手続補正１４】
【補正対象書類名】明細書
【補正対象項目名】００２６
【補正方法】変更
【補正の内容】
【００２６】
請求項１３に記載の電子機器制御装置は、第１の電子機器は、第２の電子機器と通信する第１の通信手段（例えば、図６の1394インタフェース９７）と、自分自身を制御する上において必要なユーザインタフェース情報を記憶する第１の記憶手段（例えば、図６のROM９２）と、第２の電子機器から、ユーザインタフェース情報の伝送の要求を受けたとき、ユーザインタフェース情報を第１の記憶手段から読み出し、第２の電子機器に伝送する第１の伝送手段（例えば、図１４のステップＳ３１）と、を備え、第２の電子機器は、第１の電子機器と通信する第２の通信手段（例えば、図４の1394インタフェース５７）と、第１の電子機器に対して、第１の電子機器を制御する上において必要なユーザインタフェース情報の伝送を要求する要求手段（例えば、図１２のステップＳ２３）と、第１の電子機器から伝送されてきたユーザインタフェース情報を記憶する第２の記憶手段（例えば、図４のRAM５３）と、を備えることを特徴とする。